(57)【要約】【課題】予め定められた移動通信装置の位置を容易に探索し、表示する。【解決手段】移動通信装置の位置探索要求部は、位置を探索する移動通信装置を識別する情報を入力し（ステップＳ１０２）、その入力された情報によって識別される移動通信装置の位置の探索を待ち受け基地局に要求する（ステップＳ１０４）。この要求に対して送信された探索結果を受信して（ステップＳ１０５）、記憶させる（ステップＳ１０６）。ここで、探索結果は、自装置が位置するセルと、位置を探索する移動通信装置が位置するセルとの距離の指標である。【選択図】図７
2010021664.tif 000002
【特許請求の範囲】
【請求項１】
待ち受け基地局と通信するセルラ方式の移動通信装置であって、
表示手段と、
被探索移動通信装置の位置探索を前記待ち受け基地局へ要求し、その要求に応じて前記待ち受け基地局から送信された前記被探索移動通信装置が位置するセルと、前記待ち受け基地局が設置されたセルとの間の距離の指標を受信する位置探索手段と、
前記被探索移動通信装置を識別する情報を、前記位置探索手段によって受信された前記距離の指標を識別可能に前記表示手段に表示させる位置表示制御手段と
を備えることを特徴とする移動通信装置。
【請求項２】
前記位置探索手段は、更に、前記要求に応じて前記待ち受け基地局から送信された前記被探索移動通信装置が位置するセルと、前記待ち受け基地局が設置されたセルとの間の方角を受信し、
前記位置表示制御手段は、前記被探索移動通信装置を識別する情報を、前記位置探索手段によって受信された前記方角を識別可能に前記表示手段に表示させる
ことを特徴とする請求項１に記載の移動通信装置。
【請求項３】
入力手段を更に備え、
前記位置表示制御手段は、前記入力手段からの入力に基づいて、前記表示手段に表示された前記被探索移動通信装置を識別する情報を選択し、その選択された情報によって識別される被探索移動通信装置へ発呼する
ことを特徴とする請求項１に記載の移動通信装置。
【請求項４】
表示手段と、
近距離無線通信手段と、
被探索移動通信装置との通信を前記近距離無線通信手段へ要求し、その要求に応じて前記近距離無線通信手段から送信された、前記被探索移動通信装置との間の前記近距離無線通信手段による通信が可能か否かを受信する位置探索手段と、
前記被探索移動通信装置を識別する情報を、前記位置探索手段によって受信された前記通信が可能か否かを識別可能に前記表示手段に表示させる位置表示制御手段と
を備えることを特徴とする移動通信装置。
【請求項５】
待ち受け基地局と通信するセルラ方式の移動通信装置であり、
入力手段を更に備え、
前記位置表示制御手段は、前記入力手段からの入力に基づいて、前記表示手段に表示された前記被探索移動通信装置を識別する情報を選択し、その選択された情報によって識別される被探索移動通信装置へ発呼する
ことを特徴とする請求項４に記載の移動通信装置。
【請求項６】
入力手段を更に備え、
前記位置表示制御手段は、前記入力手段からの入力に基づいて、前記表示手段に表示された前記被探索移動通信装置を識別する情報を選択し、前記近距離無線通信手段に、その選択された情報によって識別される被探索移動通信装置と通話通信させる
ことを特徴とする請求項４に記載の移動通信装置。
【請求項７】
前記近距離無線通信手段は、ブルートゥース方式による通信を行う
ことを特徴とする請求項４に記載の移動通信装置。
【発明の詳細な説明】
【技術分野】
【０００１】
本発明は、移動通信装置に係り、特に、自装置以外の移動通信装置の位置を探索する処理に関する。
【背景技術】
【０００２】
待ち合わせの際、待ち合わせに参加している人の位置を知ることが望まれることがある。具体的には、その人が待ち合わせ場所の近くにいるか否かを知るためである。ここで、待ち合わせとは、待ち合わせた後でいずれかへ行くことを必ずしも意味しない。複数の人が会合などに出席することを予定しており、会合への出席を予定している者が会合の行なわれる場所に出向くことも意味する。
【０００３】
待ち合わせている人の位置を知った後、その人へ連絡を取ることが望まれることがある。例えば、その人が待ち合わせ場所の近くにいない場合、待ち合わせ場所への到着予定時刻を尋ねるためである。また、その人が待ち合わせ場所の近くにいて、かつ、その人の姿が見えない場合、待ち合わせ場所の認識に誤解があるか否かを確かめるためである。
【０００４】
近年、多くの人が移動通信装置を所持している。そこで、人の位置を知るため、移動通信装置の位置を探索する処理が知られている。例えば、移動通信装置１は、移動通信装置２を識別する情報をサービスセンターに送信して、その情報によって識別される移動通信装置２の位置を要求する。サービスセンターは、上記移動通信装置２の位置を、例えば移動通信装置２に含まれるＧＰＳ方式による測位部によって測位し、移動通信装置２は要求元の移動通信装置１の近くに位置するか否かを要求元の移動通信装置１に通知する（例えば、特許文献１参照。）。
【０００５】
また、ブルートゥース（Bluetooth、登録商標）方式による通信を行う移動通信装置は、その移動通信装置１とブルートゥース（Ｒ）通信方式による接続がされた移動通信装置２は、その移動通信装置１の近くに位置すると判断して、移動通信装置２は近くに位置する旨を表示する（例えば、特許文献２参照。）。
【特許文献１】特開２００３−１１６１６９号公報（第２頁、図６）
【特許文献２】特開２００４−３２８０９２号公報（第２−４頁、図１）
【発明の開示】
【発明が解決しようとする課題】
【０００６】
しかしながら、上述した特許文献１に開示されている方法では、移動通信装置の位置を比較的正確に探索することができるものの、サービスセンターを含む大規模なシステムを必要とし、その結果、多くの費用が発生する問題点があった。また、位置探索を要求する移動通信装置１と、サービスセンターとの間の通信のみならず、サービスセンターと位置探索をされる移動通信装置２との間の通信が必要になる問題点があった。更に、位置探索をされる移動通信装置２は、ＧＰＳ方式による測位機能を備えていることが必要である問題点があった。
【０００７】
また、上述した特許文献２に開示されている方法では、たまたまブルートゥース通信方式による接続がされた移動通信装置は、その接続がされたときには近くに位置すると探索されるものの、参加予定者が所持する移動通信装置の位置を探索することによって、参加予定者の出席状況、即ち、誰が出席しているか、誰がまだ出席していないかを知ることができない問題点があった。
【０００８】
本発明は上記問題点を解決するためになされたもので、予め定められた移動通信装置の位置を容易に探索し、表示する移動通信装置を提供することを目的とする。
【課題を解決するための手段】
【０００９】
上記目的を達成するために、本発明の移動通信装置は、待ち受け基地局と通信するセルラ方式の移動通信装置であって、表示手段と、被探索移動通信装置の位置探索を前記待ち受け基地局へ要求し、その要求に応じて前記待ち受け基地局から送信された前記被探索移動通信装置が位置するセルと、前記待ち受け基地局が設置されたセルとの間の距離の指標を受信する位置探索手段と、前記被探索移動通信装置を識別する情報を、前記位置探索手段によって受信された前記距離の指標を識別可能に前記表示手段に表示させる位置表示制御手段とを備えることを特徴とする。
【発明の効果】
【００１０】
本発明によれば、予め定められた移動通信装置の位置を容易に探索し、表示することができる。
【発明を実施するための最良の形態】
【００１１】
以下に、本発明による移動通信装置の実施の形態を、図面を参照して説明する。
【００１２】
（第１の実施形態）
図１は、本発明の第１の実施形態に係る移動通信装置を含む位置探索システムの構成の概要を示す図である。この位置探索システムは、セルラ方式の移動通信システムに適用され、この位置探索システムには、第１の移動通信装置ＭＳ１と、第２の移動通信装置ＭＳ２と、…、第ｍの移動通信装置ＭＳｍとが含まれる。
【００１３】
また、この位置探索システムには、更に、第１の基地局ＢＳ１と、第２の基地局ＢＳ２と、…、第ｎの基地局ＢＳｎとが含まれる。ここで、この移動通信システムのサービスエリアは、六角形のセルに分割され、１つのセルに１つの基地局が設置されている。なお、ここでのセルは、六角形であり、２つのセルが重なる地域はないとみなして説明する。なお、地域の地形などの影響により、セルの境界付近では、セルの重なりが生じることは周知の通りであり、それによって以下の実施形態に支障が生じることはない。
【００１４】
セルラ方式の移動通信システムにおいて、移動通信装置は、あるセルに位置している際、そのセルに設置された基地局を待ち受け基地局として選択する。そして、移動通信装置は、待ち受け中は、待ち受け基地局との間の無線通信リンクを確立し、間欠受信を行なって、待ち受け基地局から送られる着信情報を受信して、自移動通信装置あての着信の有無を検出する。
【００１５】
そして、自移動通信装置あての着信が検出された場合、及び、自移動通信装置から発呼した場合、移動通信装置は、待ち受け基地局との間で通話チャネルを確立して、通信を行なう。
【００１６】
ここで、移動通信装置は、複数の基地局から送信された電波を受信し、その受信したそれぞれの電波の品質を測定し、最も高い品質の電波を受信すると、その高い品質の電波を送信した基地局を待ち受け基地局として選択する。ここで、電波の品質は、電波の強度や信号対雑音電力比などによって測定する。
【００１７】
そのため、移動通信装置が位置している場所の周囲の地形や、その場所の周囲の建物の存在など、電波の伝播に影響を与えるものの存在によって、移動通信装置の待ち受け基地局は、必ずしもその移動通信装置が位置しているセルに設置された基地局と限るものではない。しかし、以後、移動通信装置は、待ち受け基地局が設置されたセルに位置しているとみなす。また、あるセルに位置している移動通信装置は、そのセルに設置された基地局を待ち受け基地局としているとみなす。
【００１８】
ここで、第１の移動通信装置ＭＳ１と、…、第ｍの移動通信装置ＭＳｍとは、全て同じ構成であり同じ動作をする。また、第１の基地局ＢＳ１と、…、第ｎの基地局ＢＳｎとは、全て同じ構成であり同じ動作をする。
【００１９】
そこで、説明を簡明にするため、以後、第１の基地局ＢＳ１を待ち受け基地局とする第１の移動通信装置ＭＳ１が第ｉの移動通信装置ＭＳｉ（ここで、ｉは２以上かつｍ以下の自然数。２≦ｉ≦ｍ。以後、ｉが取り得る値の範囲の説明を省略する。）の位置を探索する場合を例として、第１の移動通信装置ＭＳ１の構成及び動作と、第１の基地局ＢＳ１の構成及び動作とを説明する。
【００２０】
ここで、第ｉの移動通信装置ＭＳｉは、第ｊの基地局ＢＳｊ（ここで、ｊは１以上かつｎ以下の自然数。１≦ｊ≦ｎ。以後、ｊが取り得る値の範囲の説明を省略する。）の中の１つを待ち受け基地局とし、又は、移動通信システムの圏外に位置する、即ち、全ての第ｊの基地局ＢＳｊが待ち受け基地局ではない。
【００２１】
なお、図１は、第１の基地局ＢＳ１が設置されたセルを中心に、そのセルに隣接して、そのセルの１周外のセルとして第２〜第７の基地局ＢＳ２〜ＢＳ７が設置されたセルが設けられている例を示す。更に、第２〜第７の基地局ＢＳ２〜ＢＳ７が設置されたセルに隣接して、第１の基地局ＢＳ１が設置されたセルの２周外のセルとして、第８〜第１９の基地局ＢＳ８〜ＢＳ１９が設置されたセルが設けられている例を示す。第８〜第１９の基地局ＢＳ８〜ＢＳ１９が設置されたセルに隣接して、第１の基地局ＢＳ１が設置されたセルの３周以上外のセルは、図示を省略している。
【００２２】
このように、１周外のセルとは、直接に隣接しているセルである。２周外のセルとは、１つのセルを介して隣接しているセルである。以下、同様に、ｐ周外のセルとは、ｐ−１のセルを介して隣接しているセルであって、ｐ−２以下のセルを介して隣接してはいないセルである（ｐは、３以上の整数。ｐ≦３。）。
【００２３】
要するに、所定数の周の外のセルとは、そのセルへ至る、最少のセルの個数によって示されるセル間の遠近を示す距離である。セルの形状が規則的でない場合などにおいても、少なくともセル間の遠近である距離を示す指標である。
【００２４】
なお、以後、隣接するセルに設置された基地局を、簡明に隣接する基地局と称する。即ち、第１の基地局ＢＳ１と、第２〜第７の基地局ＢＳ２〜ＢＳ７のそれぞれとは隣接している。また、第８〜第１９の基地局ＢＳ８〜ＢＳ１９は、第１の基地局ＢＳ１に隣接する第２〜第７の基地局ＢＳ２〜ＢＳ７の中のいずれかと隣接している。ここで、隣接する基地局と隣接する基地局は、隣接する基地局を含まない。
【００２５】
図１を参照して具体的に説明すると、第１の基地局ＢＳ１と、第２の基地局ＢＳ２とは隣接している。また、第２の基地局ＢＳ２と、第３の基地局ＢＳ３とは隣接している。しかしながら、第１の基地局ＢＳ１は、第３の基地局ＢＳ３を、隣接する基地局（第２の基地局ＢＳ２。）と隣接する基地局とはみなさない。なぜなら、第１の基地局ＢＳ１と、第３の基地局ＢＳ３とは、隣接しているからである。
【００２６】
また、図１は、第１の移動通信装置ＭＳ１が第１の基地局ＢＳ１を待ち受け基地局とし、第２の移動通信装置ＭＳ２が第６の基地局ＢＳ６を待ち受け基地局とし、第３の移動通信装置ＭＳ３が第７の基地局ＢＳ７を待ち受け基地局とし、第４の移動通信装置ＭＳ４が第９の基地局ＢＳ９を待ち受け基地局とし、第５の移動通信装置ＭＳ５が第１１の基地局ＢＳ１１を待ち受け基地局とし、更に、第６の移動通信装置ＭＳ６が第１５の基地局ＢＳ１５を待ち受け基地局としている例を示す。第ｋの移動通信装置ＭＳｋ（ここで、ｋは７以上、かつ、ｍ以下の整数。７≦ｋ≦ｍ。）と、第ｋの基地局ＢＳｋ（ここで、ｋは、２０以上、かつ、ｎ以下の整数。２０≦ｋ≦ｎ。）は、図示を省略している。
【００２７】
図２は、本発明の第１の実施形態に係る第１の移動通信装置ＭＳ１の構成を示すブロック図である。この第１の移動通信装置ＭＳ１は、通話通信を含む通信を移動通信網（図示せず）を介して行う装置であり、装置全体の制御を行う制御部１１と、第１の基地局ＢＳ１との間で電波の送受信を行うアンテナ１２ａと、移動網通信部１２ｂと、移動網送受信部１３と、通話用のスピーカ１４ａと、通話用のマイクロフォン１４ｂと、通話部１４ｃと、表示部１５と、入力装置１６と、位置探索要求部２１と、探索装置情報記憶部２２と、探索装置位置表示部２３とを備える。探索装置情報記憶部２２には、探索装置情報２２ａが記憶される。
【００２８】
図３は、本発明の第１の実施形態に係る第１の基地局ＢＳ１の構成を示すブロック図である。この第１の基地局ＢＳ１は、装置全体の制御を行う制御部３１と、第１の移動通信装置ＭＳ１を含む移動通信装置との間で電波の送受信を行うアンテナ３２ａと、移動網通信部３２ｂと、移動網送受信部３３と、固定網（図示せず）を介して移動通信制御局（図示せず）と通信する固定網送受信部３４と、在圏移動通信装置情報記憶部３５と、位置探索部４１と、探索装置情報記憶部４２とからなる。在圏移動通信装置情報記憶部３５には、在圏移動通信装置情報３５ａが記憶される。探索装置情報記憶部４２には、探索装置情報４２ａが記憶される。
【００２９】
上記のように構成された、本発明の第１の実施形態に係る第１の移動通信装置ＭＳ１及び第１の基地局ＢＳ１の各部の動作を、図２及び図３を参照して説明する。
【００３０】
まず、第１の移動通信装置ＭＳ１の各部の動作を説明する。制御部１１は、装置全体の制御を行う。制御部１１による制御動作の１つは、ハンドオーバ及びセル再選択である。即ち、制御部１１は、待ち受け基地局（この場合、第１の基地局ＢＳ１。）を識別する情報を記憶し、待ち受け基地局から送信された電波が移動網通信部１２ｂによって受信された際の電波の質、例えば、その電波の強度と、その電波の信号対雑音電力比とを監視する。
【００３１】
そして、その監視された電波の質が所定の値以下となった場合、制御部１１は、待ち受け基地局に要求して、その待ち受け基地局に隣接する基地局を識別する情報を得る。そして、制御部１１は、その得られた情報によって識別される基地局から送信された電波が移動網通信部１２ｂによって受信された際の電波の質を得る。
【００３２】
その電波の質が待ち受け基地局から送信された電波の質を超える場合、制御部１１は、受信された際に最高の質である電波を送信した基地局へハンドオーバ又はセル再選択をして、その基地局を待ち受け基地局とする。
【００３３】
移動網通信部１２ｂは、アンテナ１２ａが受信した高周波信号を移動網送受信部１３へ出力し、また、移動網送受信部１３から出力される高周波信号をアンテナ１２ａより送信する。
【００３４】
移動網送受信部１３は、移動網通信部１２ｂからの高周波信号を増幅、周波数変換及び復調し、それによって得られたディジタル音声信号を通話部１４ｃへ、得られた制御信号を制御部１１へ、得られた第ｉの移動通信装置ＭＳｉの位置に係わる信号を位置探索要求部２１へ送る。更には、移動網送受信部１３は、通話部１４ｃから出力されるディジタル音声信号と、制御部１１から出力される制御信号と、位置探索要求部２１から出力される第ｉの移動通信装置ＭＳｉの位置に係わる信号とを変調、周波数変換及び増幅し、高周波信号を得て、それを移動網通信部１２ｂに送る。
【００３５】
通話部１４ｃは、移動網送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して移動網送受信部１３に送信する。
【００３６】
表示部１５は、バックライト付きのＬＣＤ（Liquid Crystal Display）であり、制御部１１に制御されることで、カーソルを含む文字・数字を含む画像データの表示動作を行い、表示されているデータは、入力装置１６からの入力操作や着信信号の受信に応答して制御部１１からの指示を受けることで切換わる。また、所定の時間に渡って入力装置１６からの入力操作や着信信号の受信がない場合、表示部１５は、制御部１１に制御されて表示を終了する。
【００３７】
入力装置１６は、主に通信相手の電話番号などを指定し、また、トグル式の入力方式によってひらがな文字、アルファベット文字及び記号文字を入力するためのダイヤルキーと、機能の選択や、選択された機能の確定を指示するために用いられる機能キーとからなる。機能キーは、それぞれ上、下、左、及び、右方向を向かう矢印に類似した画像が表示された上、下、左、及び、右方向へカーソルを移動させる指示を入力するためのカーソル移動キーを含む。
【００３８】
入力装置１６のキーが操作、例えば押下されると、そのキーの識別子が制御部１１に通知され、制御部１１の制御に基づいて、制御部１１及びその識別子が通知された装置内の各部の処理により、表示部１５に文字として表示されたり、キーの操作及び解放に基づく制御が行われたりする。
【００３９】
位置探索要求部２１は、入力装置１６の所定のキー操作に従って指定された、位置を探索する１台又は複数台の第ｉの移動通信装置ＭＳｉを識別する情報を探索装置情報２２ａとして探索装置情報記憶部２２に記憶させると共に、移動網送受信部１３を介して第１の移動通信装置ＭＳ１の待ち受け基地局、即ち、第１の基地局ＢＳ１に送信して、上記第ｉの移動通信装置ＭＳｉの位置の探索を要求する。
【００４０】
また、位置探索要求部２１は、上記要求に対して、第１の基地局ＢＳ１から送信された上記１台又は複数台の第ｉの移動通信装置ＭＳｉの位置を移動網送受信部１３を介して受信して、探索装置情報２２ａとして探索装置情報記憶部２２に記憶させる。
【００４１】
探索装置位置表示部２３は、探索装置情報２２ａとして探索装置情報記憶部２２に記憶された、１台又は複数台の第ｉの移動通信装置ＭＳｉを識別する情報及び位置を参照し、それらの識別する情報及び位置を表示部１５に表示させる。また、表示された識別する情報の中の１つが入力装置１６の所定の操作に従って選択されると、その選択された情報によって識別される第ｉの移動通信装置ＭＳｉへの発呼制御を制御部１１に行なわせる。
【００４２】
次に、第１の基地局ＢＳ１の各部の動作を説明する。制御部３１は、第１の基地局ＢＳ１全体の制御を行う。制御部３１による制御動作の１つは、第１の基地局ＢＳ１を待ち受け基地局とする移動通信装置を識別する情報を在圏移動通信装置情報３５ａとして在圏移動通信装置情報記憶部３５に記憶させ、その情報で記憶される移動通信装置と、移動通信制御局との間の通信を中継する。
【００４３】
また、制御部３１は、第１の基地局ＢＳ１を待ち受け基地局とする移動通信装置からの要求に従って、その移動通信装置を第１の基地局ＢＳ１以外の基地局へハンドオーバ、又は、セル再選択させ、即ち、第１の基地局ＢＳ１以外の基地局を待ち受け基地局とさせ、その移動通信装置を識別する情報を在圏移動通信装置情報３５ａから削除させる。
【００４４】
更に、制御部３１は、第１の基地局ＢＳ１以外の基地局を待ち受け基地局とする移動通信装置からの要求に従って、その装置を第１の基地局ＢＳ１へハンドオーバ、又は、セル再選択させ、即ち、第１の基地局ＢＳ１を待ち受け基地局とさせ、その移動通信装置を識別する情報を在圏移動通信装置情報３５ａに追加記憶させる。このハンドオーバ及びセル再選択の動作のため、制御部３１は、第１の基地局ＢＳ１に隣接する基地局を識別する情報を記憶する。
【００４５】
移動網通信部３２ｂは、アンテナ３２ａが受信した高周波信号を移動網送受信部３３へ出力し、また、移動網送受信部３３から出力される高周波信号をアンテナ３２ａより送信する。
【００４６】
移動網送受信部３３は、移動網通信部３２ｂからの高周波信号を増幅、周波数変換及び復調し、それによって得られたディジタル音声信号を固定網送受信部３４へ、制御信号を制御部３１へ、得られた第ｉの移動通信装置ＭＳｉの位置に係わる信号を位置探索部４１へ送る。
【００４７】
更には、移動網送受信部３３は、固定網送受信部３４から出力されるディジタル音声信号と、制御部３１から出力される制御信号と、位置探索部４１から出力される第ｉの移動通信装置ＭＳｉの位置に係わる信号とを変調、周波数変換及び増幅し、高周波信号を得て、それを移動網通信部３２ｂに送る。
【００４８】
固定網送受信部３４は、移動網送受信部３３から出力されるディジタル音声信号を移動通信制御局に送る。また、移動通信制御局から出力されるディジタル音声信号を移動網送受信部３３に送る。
【００４９】
位置探索部４１は、第１の移動通信装置ＭＳ１から送信され、移動網送受信部３３を介して受信された１台又は複数台の第ｉの移動通信装置ＭＳｉを識別する情報を受信し、その情報を探索装置情報４２ａとして探索装置情報記憶部４２に記憶させる。そして、その情報によって識別される第ｉの移動通信装置ＭＳｉのそれぞれに対し、その装置が位置するセルに関する情報、例えば、そのセルを識別する情報を探索して、探索された情報を探索装置情報４２ａとして探索装置情報記憶部４２に記憶させると共に、その探索された情報を、移動網送受信部３３を介して第１の移動通信装置ＭＳ１に送信する。
【００５０】
以下、第１の実施形態に係る移動通信装置を含む位置探索システムにおける、予め定められた移動通信装置の位置を容易に探索し、表示する処理を説明する。
【００５１】
図４は、探索装置情報記憶部２２に記憶される探索装置情報２２ａの構成の一例を示す。この探索装置情報２２ａは、探索装置識別情報２２ｂと、探索装置所持者２２ｃと、探索装置距離２２ｄと、探索装置方角２２ｅとが関連付けられた情報からなる。そして、１組の関連付けられた情報が第ｉの移動通信装置ＭＳｉの位置に係わる情報であり、探索装置識別情報２２ｂは、第ｉの移動通信装置ＭＳｉを一意に識別する情報である。この例では、探索装置識別情報２２ｂは、電話番号であるとしたが、これに限るものではない。
【００５２】
探索装置所持者２２ｃは、探索装置識別情報２２ｂによって一意に識別される第ｉの移動通信装置ＭＳｉを識別する情報であって、この例では、第ｉの移動通信装置ＭＳｉの所持者の名前である。なお、必ずしも所持者の名前である必要はなく、所有者の名前であっても良く、所有する組織の名前であっても良い。更には、第ｉの移動通信装置ＭＳｉを識別する任意の文字列であっても良い。
【００５３】
探索装置距離２２ｄは、探索装置識別情報２２ｂによって識別される第ｉの移動通信装置ＭＳｉの位置と、自装置、即ち、第１の移動通信装置ＭＳ１との間の距離を、第ｉの移動通信装置ＭＳｉが位置するセルと、第１の移動通信装置ＭＳ１が位置するセルとの遠近の程度を指標として用いて示す。
【００５４】
即ち、探索装置識別情報２２ｂによって識別される第ｉの移動通信装置ＭＳｉと、第１の移動通信装置ＭＳ１とが同じ基地局を待ち受け基地局としている場合、探索装置距離２２ｄには「同じセル」との情報が記憶される。第ｉの移動通信装置ＭＳｉの待ち受け基地局と、第１の移動通信装置ＭＳ１の待ち受け基地局とが隣接する場合、探索装置距離２２ｄには「１周外のセル」との情報が記憶される。
【００５５】
更に、第ｉの移動通信装置ＭＳｉの待ち受け基地局と、第１の移動通信装置ＭＳ１の待ち受け基地局とは、それら２つの基地局以外の１つの基地局に隣接する場合、探索装置距離２２ｄには「２周外のセル」との情報が記憶される。更に、第ｉの移動通信装置ＭＳｉの待ち受け基地局は、上記以外の基地局である場合、第ｉの移動通信装置ＭＳｉの待ち受け基地局が不明である場合、及び、第ｉの移動通信装置ＭＳｉはいずれの基地局も待ち受け基地局としていない場合、探索装置距離２２ｄには「遠距離」との情報が記憶される。
【００５６】
セルの大きさは、移動通信網の設計によって決定され、単位面積あたりに位置すると予想される移動通信装置の数などによって異なる大きさであるが、探索装置距離２２ｄが「同じセル」である場合、探索装置識別情報２２ｂによって識別される第ｉの移動通信装置ＭＳｉは、第１の移動通信装置ＭＳ１の近くにある。
【００５７】
また、探索装置距離２２ｄが「１周外のセル」である場合、やや近くにある。また、探索装置距離２２ｄが「２周外のセル」である場合、やや遠くにある。また、探索装置距離２２ｄが「遠距離」である場合、遠くにある、又は、上記第ｉの移動通信装置ＭＳｉの位置は不明である。
【００５８】
探索装置方角２２ｅは、探索装置識別情報２２ｂによって識別される第ｉの移動通信装置ＭＳｉの待ち受け基地局が設置されたセルは、自装置、即ち、第１の移動通信装置ＭＳ１の待ち受け基地局が設置されたセルからいずれの方角にあるかを示し、「北」、「南」、「東」、「西」、「北東」、「北西」、「南東」及び「南西」の中のいずれかである。なお、探索装置距離２２ｄが「同じセル」である場合、及び、探索装置距離２２ｄが「遠距離」である場合、探索装置方角２２ｅは、値を持たない。
【００５９】
この例では、探索装置方角２２ｅは、８つの方角の中のいずれかであるとしたが、これに限るものではない。更に細分化し、１６の方角の中のいずれかとしても良く、また、例えば、北を０度とし、時計回り又は反時計回りに３５９度までの値であるとしても良い。
【００６０】
なお、図４では、探索装置識別情報２２ｂと、探索装置所持者２２ｃと、探索装置距離２２ｄと、探索装置方角２２ｅとが連続して記憶され、かつ、関連付けられた情報が連続して記憶されるように図示したが、これは理解を容易にするためであって、これに限るものではない。離散されて記憶されても良い。また、探索装置識別情報２２ｂと、探索装置所持者２２ｃとの関連付けは、アドレス帳（図示せず）に記憶され、探索装置所持者２２ｃは、探索装置情報２２ａに含まれないとしても良い。
【００６１】
図５は、在圏移動通信装置情報記憶部３５に記憶される在圏移動通信装置情報３５ａの構成の一例を示す。この在圏移動通信装置情報３５ａは、在圏移動通信装置識別情報３５ｂからなる。そして、１つの在圏移動通信装置識別情報３５ｂが、第１の基地局ＢＳ１を待ち受け基地局とする第ｉの移動通信装置ＭＳｉを一意に識別する情報であり、既に説明した探索装置識別情報２２ｂと同じ情報（電話番号）である。
【００６２】
図６は、探索装置情報記憶部４２に記憶される探索装置情報４２ａの構成の一例を示す。この探索装置情報４２ａは、探索装置識別情報４２ｂと、探索装置位置４２ｃと、探索装置距離４２ｄと、探索装置方角４２ｅとが関連付けられた情報からなる。そして、１組の関連付けられた情報が第ｉの移動通信装置ＭＳｉの位置に係わる情報であり、探索装置識別情報２２ｂは、第ｉの移動通信装置ＭＳｉを一意に識別する情報であり、既に説明した探索装置識別情報２２ｂと同じ情報（電話番号）である。
【００６３】
探索装置位置４２ｃは、探索装置識別情報４２ｂによって識別される第ｉの移動通信装置ＭＳｉの待ち受け基地局を一意に識別する情報である。なお、その待ち受け基地局が不明である場合、探索装置距離４２ｄは、「−」との情報である。探索装置距離４２ｄは、探索装置識別情報４２ｂによって識別される第ｉの移動通信装置ＭＳｉが位置するセルと、自装置、即ち、第１の基地局ＢＳ１が設置されたセルとの遠近の程度を示し、既に説明した探索装置距離２２ｄと同じ情報である。
【００６４】
探索装置方角４２ｅは、探索装置識別情報４２ｂによって識別される第ｉの移動通信装置ＭＳｉの待ち受け基地局が設置されたセルは、第１の移動通信装置ＭＳ１の待ち受け基地局が設置されたセルからいずれの方角にあるかを示し、探索装置方角２２ｅと同じ情報である。
【００６５】
なお、図６では、探索装置識別情報４２ｂと、探索装置位置４２ｃと、探索装置距離４２ｄと、探索装置方角４２ｅとが連続して記憶され、かつ、関連付けられた情報が連続して記憶されるように図示したが、これは理解を容易にするためであって、これに限るものではない。離散されて記憶されても良い。
【００６６】
次に、第１の移動通信装置ＭＳ１及び第１の基地局ＢＳ１の各部による、予め定められた移動通信装置の位置を容易に探索し、表示する処理を説明する。
【００６７】
図７は、第１の移動通信装置ＭＳ１の位置探索要求部２１が移動通信装置を定め、探索された、その移動通信装置の位置を記憶させる動作のフローチャートを示す。位置探索要求部２１は、入力装置１６の所定のキー操作によって動作を開始する（ステップＳ１０１）。そして、入力装置１６の所定のキー操作によって、位置を探索する１台又は複数台の移動通信装置を識別する情報を入力する（ステップＳ１０２）。
【００６８】
ここで、入力される情報は、その移動通信装置の電話番号と、所持者の名前とであるが、電話番号が必須である。また、入力にあたり。これらの一方を入力し、他方は、入力された一方を検索キーにアドレス帳を検索することによって得ても良い。また、アドレス帳に記憶された情報の中の、例えば名前を一覧表示し、一覧表示された中から選択された名前を選択することによって入力に代えても良い。なお、名前が選択された場合、選択された名前と関連付けられてアドレス帳に記憶された電話番号が入力されたとみなす。
【００６９】
位置探索要求部２１は、入力された電話番号を探索装置識別情報２２ｂに、入力された所持者の名前を探索装置所持者２２ｃに、探索装置距離２２ｄに無値（情報が記憶されないこと。）を、更に、探索装置方角２２ｅに無値を設定した探索装置情報２２ａを、探索装置情報記憶部２２に記憶させる（ステップＳ１０３）。なお、移動通信装置の所持者の名前が入力されない場合、探索装置所持者２２ｃに無値を設定する。
【００７０】
次に、位置探索要求部２１は、探索装置情報２２ａによって識別される移動通信装置の位置の探索要求を、移動網送受信部１３を介して自装置の待ち受け基地局、即ち、第１の基地局ＢＳ１に送る。この際、探索装置情報２２ａの探索装置識別情報２２ｂをパラメータとして与える（ステップＳ１０４）。
【００７１】
位置探索要求部２１は、自装置の待ち受け基地局、即ち、第１の基地局ＢＳ１から送信され、移動網送受信部１３を介して受信された、この要求に対応する探索結果を受信する（ステップＳ１０５）。この探索結果は、パラメータとして与えた探索装置情報２２ａの探索装置識別情報２２ｂ毎に、２つの情報からなる。
【００７２】
第１の情報は、その探索装置情報２２ａの探索装置識別情報２２ｂによって識別される第ｉの移動通信装置ＭＳｉの位置と、自装置、即ち、第１の移動通信装置ＭＳ１との間の距離であって、第ｉの移動通信装置ＭＳｉの待ち受け基地局が設置されたセルと、第１の移動通信装置ＭＳ１の待ち受け基地局が設置されたセルとの遠近の程度によって示すものである。第２の情報は、その第ｉの移動通信装置ＭＳｉの待ち受け基地局が設置されたセルが、第１の移動通信装置ＭＳ１の待ち受け基地局が設置されたセルからみていずれの方角にあるかを示すものである。
【００７３】
位置探索要求部２１は、受信された探索結果の第１の情報を、パラメータとして与えた探索装置識別情報２２ｂに対応する探索装置距離２２ｄに設定し、第２の情報を、対応する探索装置方角２２ｅに設定し、探索結果が設定された探索装置情報２２ａを探索装置情報記憶部２２に更新記憶させて（ステップＳ１０６）、移動通信装置を定め、探索された、その移動通信装置の位置を記憶させる動作を終了する（ステップＳ１０７）。
【００７４】
なお、探索装置情報２２ａが更新記憶される度に、又は、ステップＳ１０４で第１の基地局ＢＳ１に送った位置の探索要求に対する結果が得られる度に、位置探索要求部２１は、その更新を制御部１１に通知する。探索装置情報２２ａを参照している処理部へ、探索装置情報２２ａの更新を通知し、最新の探索装置情報２２ａの参照を促すためである。
【００７５】
なお、以上説明した、位置探索要求部２１の動作の中で、ステップＳ１０２及びステップＳ１０３の動作は、位置を探索する移動通信装置を定める動作である。一方、ステップＳ１０４〜ステップＳ１０６の動作は、定められた移動通信装置の位置を探索させる動作である。そこで、この２つの動作は、前者が先に、後者が後に行なわれる必要があるものの、連続した時刻に行なわれる必要はなく、２つの動作が行われる間に時間の隔たりがあっても良い。その時間の隔たりは、長時間であっても良い。
【００７６】
また、位置探索要求部２１のステップＳ１０２及びステップＳ１０３の動作、即ち、位置を探索する移動通信装置を定める動作は、繰り返し行われることによって、定められた移動通信装置の更新が行われても良い。更新の一例は、既に待ち合わせ場所に到着した人の所持する移動通信装置に係わる情報を削除することである。また、更新の別の一例は、待ち合わせに不参加であることが新たに判明した人の所持する移動通信装置に係わる情報を削除することである。
【００７７】
また、位置探索要求部２１のステップＳ１０４〜ステップＳ１０６の動作、即ち、定められた移動通信装置の位置を探索する動作は、入力装置１６の所定のキー操作に従って行われても良い。また、入力装置１６のキー操作なしに繰り返し行われても良い。
【００７８】
繰り返し行なわれる間隔は、移動通信装置があるセルから、そのセルに隣接するセルへ移動する平均時間をめどに、その時間の数分の１の時間が適切である。間隔が余りに短いと、探索の結果が変化することが少なく、無意味な処理が多くなる。間隔が余りに長いと、移動通信装置があるセルから、そのセルに隣接しないセルへ移動することがあり、移動通信装置の移動の把握が不充分になる可能性が高い。
【００７９】
しかし、この間隔は、装置の使用者の意思によって変えることが適切な場合がある。例えば、待ち合わせ時刻が迫っている場合、装置の使用者は、その間隔を短くして、探索の結果の変化を知ることが適切である。そこで、上記間隔は、入力装置１６の所定のキー操作によって変更される。
【００８０】
また、位置探索要求部２１は、全ての探索装置情報２２ａに係わる移動通信装置の位置探索を要求することなく、所定の条件を満たす探索装置情報２２ａに係わる移動通信装置の位置探索を要求するとしても良い。位置探索を要求しないことは、要求しない探索装置情報２２ａの探索装置識別情報２２ｂを自装置の待ち受け基地局、即ち、第１の基地局ＢＳ１に送らないことによって、容易に可能である。
【００８１】
位置探索を要求しない一例は、探索装置距離２２ｄが「同じセル」である探索装置情報２２ａに係わる移動通信装置の位置探索を要求しないことである。また、入力装置１６の所定のキー操作によって指定された探索装置情報２２ａに係わる移動通信装置の位置探索を要求しないことである。指定されたか否かは、探索装置情報２２ａに記憶されるとする。
【００８２】
全ての探索装置情報２２ａに係わる移動通信装置の位置探索を要求しないことによって、例えば、既に待ち合わせ場所に到着した人が所持する移動通信装置の位置探索を要求せず、また、待ち合わせに不参加である人が所持する移動通信装置の位置探索を要求しないことによる消費電力の削減が得られる。
【００８３】
図８は、第１の移動通信装置ＭＳ１の探索装置位置表示部２３が予め定められた移動通信装置の位置を表示する動作のフローチャートを示す。探索装置位置表示部２３は、入力装置１６の所定のキー操作によって動作を開始する（ステップＳ２０１）。そして、探索装置所持者２２ｃと、探索装置距離２２ｄと、探索装置方角２２ｅとが関連付けられた情報を探索装置情報記憶部２２から読み出して（ステップＳ２０２）、読み出された情報を表示部１５に表示させる（ステップＳ２０３）。
【００８４】
図９は、ステップＳ２０３で表示部１５に行われる表示の一例を示す。この一例では、探索装置距離２２ｄによって探索装置所持者２２ｃを分類した上で、表示部１５に探索装置情報表示１５ａが表示されている。探索装置情報表示１５ａは、最も上に、探索装置距離２２ｄが「同じセル」である探索装置所持者２２ｃを「近い」なる標題の下に列挙した表示を含み、その下に、探索装置距離２２ｄが「１周外のセル」である探索装置所持者２２ｃを「やや近い」なる標題の下に列挙した表示を含む。
【００８５】
更に、探索装置情報表示１５ａは、その次に、探索装置距離２２ｄが「２周外のセル」である探索装置所持者２２ｃを「やや遠い」なる標題の下に列挙した表示を含み、最も下に、探索装置距離２２ｄが「遠距離」である探索装置所持者２２ｃを「遠いか、位置不明」なる標題の下に列挙した表示を含む。ここで、探索装置所持者２２ｃに加えて、又は、代えて、探索装置識別情報２２ｂを表示しても良い。
【００８６】
これらの表示の全体が表示部１５の表示画面の大きさを超える場合、探索装置位置表示部２３は、入力装置１６のカーソル移動キーの操作に基づいて表示をスクロールさせる。
【００８７】
図１０は、ステップＳ２０３で表示部１５に行われる表示の別の一例を示す。この一例では、探索装置距離２２ｄによって探索装置所持者２２ｃを分類した上で、表示部１５に探索装置情報表示１５ａが表示されている。探索装置情報表示１５ａは、３つの同心円の表示を含み、最も小さい円の中に探索装置距離２２ｄが「同じセル」である探索装置所持者２２ｃの表示を含み、最も小さい円の外であって、中間の大きさの円の内側に探索装置距離２２ｄが「１周外のセル」である探索装置所持者２２ｃの表示を含む。
【００８８】
更に、探索装置情報表示１５ａは、中間の大きさの円の外であって、最も大きい円の内側に探索装置距離２２ｄが「２周外のセル」である探索装置所持者２２ｃの表示を含み、最も大きい円の外側の所定の位置に探索装置距離２２ｄが「遠距離」である探索装置所持者２２ｃの表示を含む。ここで、探索装置所持者２２ｃに加えて、又は、代えて、探索装置識別情報２２ｂを表示しても良い。
【００８９】
ここで、探索装置距離２２ｄが「１周外のセル」である探索装置所持者２２ｃの表示と、探索装置距離２２ｄが「２周外のセル」である探索装置所持者２２ｃの表示とに際し、探索装置所持者２２ｃを表示する表示画面上の位置は、探索装置方角２２ｅによって決定される。即ち、探索装置所持者２２ｃである「Ｅ」の表示位置で例示するように、探索装置方角２２ｅが「北」であれば、同心円の中心の上に表示される。
【００９０】
また、探索装置所持者２２ｃである「Ｂ」の表示位置で例示するように、探索装置方角２２ｅが「南」であれば、同心円の中心の下に表示される。更に、探索装置方角２２ｅが「東」であれば、同心円の中心の右に表示され、探索装置方角２２ｅが「西」であれば、同心円の中心の左に表示される。
【００９１】
また、探索装置所持者２２ｃである「Ｄ」の表示位置で例示するように、探索装置方角２２ｅが「北東」であれば、同心円の中心の右上に表示される。探索装置所持者２２ｃである「Ｃ」の表示位置で例示するように、探索装置方角２２ｅが「南東」であれば、同心円の中心の右下に表示される。
【００９２】
更に、探索装置方角２２ｅが「北西」であれば、同心円の中心の左上に表示される。探索装置所持者２２ｃである「Ｆ」の表示位置で例示するように、探索装置方角２２ｅが「南西」であれば、同心円の中心の左下に表示される。
【００９３】
以上の図１０を参照した説明で、同心円の表示は、必須ではない。同心円の中心が識別可能であれば、表示はなくても良い。また、同心円で囲まれる輪形の図形を識別可能に表示する、例えば、異なる色で表示しても良い。要するに、探索装置所持者２２ｃを表示し、その表示位置は、その探索装置所持者２２ｃに関連付けられた探索装置距離２２ｄと、探索装置方角２２ｅとを識別可能な位置であれば良い。
【００９４】
これらの表示の全体が表示部１５の表示画面の大きさを超える場合、探索装置位置表示部２３は、入力装置１６のカーソル移動キーの操作に基づいて表示をスクロールさせる。
【００９５】
なお、以上説明した表示部１５に行われる表示の２つの例では、探索装置情報記憶部２２から探索装置所持者２２ｃを読み出して表示するとした。しかし、探索装置所持者２２ｃとして値が記憶されていない場合、探索装置位置表示部２３は、探索装置所持者２２ｃに代えて、探索装置識別情報２２ｂを読み出して、表示する。
【００９６】
図８に示すフローチャートを参照した、探索装置位置表示部２３が予め定められた移動通信装置の位置を表示する動作の説明に戻る。探索装置位置表示部２３は、入力装置１６のカーソル移動キーの操作に従って、探索装置情報表示１５ａ中の探索装置所持者２２ｃの１つを選択して、その選択された探索装置所持者２２ｃにカーソルを置き、他の探索装置所持者２２ｃと異なる表示、例えば、異なる色での表示、異なる背景色での表示、点滅表示などをさせる。
【００９７】
図９に示す探索装置情報表示１５ａ及び図１０に示す探索装置情報表示１５ａで、探索装置所持者２２ｃである「Ｇ」にカーソルが置かれたことを、表示「Ｇ」にハッチンングを施すことによって示す。そして、探索装置位置表示部２３は、入力装置１６の所定のキー操作によって発呼の指示がされたか否かを判断する（ステップＳ２０４）。
【００９８】
発呼指示がされない場合、探索装置位置表示部２３は、ステップＳ２０４の探索装置所持者２２ｃにカーソルを置き、発呼の指示がされたか否かを判断する動作を続ける。一方、発呼の指示がされた場合、制御部１１に指示して発呼させる（ステップＳ２０５）。ここで、発呼先は、カーソルが置かれた探索装置所持者２２ｃと関連付けられて探索装置情報２２ａに含まれる探索装置識別情報２２ｂである。
【００９９】
発呼させた場合、その呼が接続され通話の後、又は、その発呼に対して呼が接続されず、入力装置１６の所定のキー操作によって発呼処理が終了された後、探索装置位置表示部２３は、ステップＳ２０２の探索装置所持者２２ｃと、探索装置距離２２ｄと、探索装置方角２２ｅとが関連付けられた情報を探索装置情報記憶部２２から読み出す動作に移る。なぜなら、発呼中又は通話中に、表示部１５には、ステップＳ２０３で行われた表示に代えて、制御部１１によって、それぞれに対応する表示がされるからである。
【０１００】
探索装置位置表示部２３は、探索装置情報２２ａが更新される度に、ステップＳ２０２の探索装置所持者２２ｃと、探索装置距離２２ｄと、探索装置方角２２ｅとが関連付けられた情報を探索装置情報記憶部２２から読み出す動作に移っても良い（図示せず）。ここで、更新されたことは、位置探索要求部２１の動作に起因して、制御部１１から通知される。また、探索装置位置表示部２３は、所定の時間間隔で、又は、入力装置１６の所定のキー操作に従って、ステップＳ２０２の情報を読み出す動作に移っても良い。
【０１０１】
探索装置位置表示部２３は、任意の動作ステップで、入力装置１６の所定のキー操作に従って、予め定められた移動通信装置の位置を表示する動作を終了する（図示せず）。なお、ステップＳ２０５で、発呼中又は通話中においては、発呼又は通話の終了の後に限って、探索装置位置表示部２３は、動作を終了しても良い。
【０１０２】
図１１は、第１の基地局ＢＳ１の位置探索部４１が与えられたパラメータによって識別される移動通信装置の待ち受け基地局が設置されたセルを探索する動作のフローチャートを示す。位置探索部４１は、第１の移動通信装置ＭＳ１から送信された、移動通信装置を識別する情報をパラメータとして与えられた位置探索要求を受信して動作を開始し、与えられた移動通信装置を識別する情報を探索装置識別情報４２ｂに設定して探索装置情報４２ａを更新記憶させる。この更新記憶の際、探索装置位置４２ｃ、探索装置距離４２ｄ及び探索装置方角４２ｅには、無値を設定する（ステップＳ３０１）。
【０１０３】
まず、位置探索部４１は、探索装置識別情報４２ｂによって識別される全ての移動通信装置の中で、自基地局、即ち、第１の基地局ＢＳ１を待ち受け基地局としている移動通信装置について、探索装置位置４２ｃに自基地局を示すために「第１の基地局」、探索装置距離４２ｄに「同じセル」、そして、探索装置方角４２ｅに「−」を設定して、探索装置情報４２ａを更新記憶させる（ステップＳ３０２）。ここで、自基地局を待ち受け基地局としている移動通信装置は、在圏移動通信装置情報３５ａを参照する。
【０１０４】
続いて、位置探索部４１は、探索装置識別情報４２ｂによって識別される全ての移動通信装置について、待ち受け基地局が設置されたセルが記憶されたか、即ち、探索装置位置４２ｃに基地局を識別する情報が設定されたか否かを判断する（ステップＳ３０３）。全ての移動通信装置について記憶された場合、探索装置情報４２ａの、探索装置識別情報４２ｂと、探索装置距離４２ｄと、探索装置方角４２ｅとの組を第１の移動通信装置ＭＳ１へ回答として送信して、与えられたパラメータによって識別される移動通信装置の待ち受け基地局が設置されたセルを探索する動作を終了する（ステップＳ３０４）。
【０１０５】
一方、ステップＳ３０３で、少なくとも１台の移動通信装置について記憶されていない場合、位置探索部４１は、探索装置位置４２ｃに基地局を識別する情報が設定されていない移動通信装置について、自基地局に隣接する基地局を待ち受け基地局としているか否かの探索を、移動通信制御局を介して自基地局に隣接する基地局に要求する。
【０１０６】
そして、その要求に対して、待ち受け基地局としている旨の回答があった移動通信装置について、探索装置位置４２ｃに、待ち受け基地局としている旨の回答を送信した基地局を識別する情報、探索装置距離４２ｄに「１周外のセル」、そして、探索装置方角４２ｅに、自基地局から、待ち受け基地局としている旨の回答を送信した基地局への方角を設定して、探索装置情報４２ａを更新記憶させる（ステップＳ３０５）。ここで、自基地局に隣接する基地局と、その基地局への方角とは、制御部３１が記憶している情報を参照する。
【０１０７】
続いて、位置探索部４１は、探索装置識別情報４２ｂによって識別される全ての移動通信装置について、待ち受け基地局が設置されたセルが記憶されたか否かを判断する（ステップＳ３０６）。全ての移動通信装置について記憶された場合、第１の移動通信装置ＭＳ１へ回答を送信して、与えられたパラメータによって識別される移動通信装置の待ち受け基地局が設置されたセルを探索する動作を終了する（ステップＳ３０４）。ここで、ステップＳ３０６の動作は、ステップＳ３０３の動作と同一である。
【０１０８】
一方、ステップＳ３０６で、少なくとも１台の移動通信装置について記憶されていない場合、位置探索部４１は、探索装置位置４２ｃに基地局を識別する情報が設定されていない移動通信装置について、自基地局に隣接する基地局に隣接する基地局に、その基地局を待ち受け基地局としているか否かの探索を、移動通信制御局を介して要求する。
【０１０９】
そして、その要求に対して、待ち受け基地局としている旨の回答があった移動通信装置について、位置探索部４１は、探索装置位置４２ｃに、待ち受け基地局としている旨の回答を送信した基地局を識別する情報、探索装置距離４２ｄに「２周外のセル」、そして、探索装置方角４２ｅに、自基地局から、待ち受け基地局としている旨の回答を送信した基地局への方角を設定して、探索装置情報４２ａを更新記憶させる（ステップＳ３０７）。
【０１１０】
ここで、自基地局に隣接する基地局に隣接する基地局は、自基地局に隣接する基地局に、その基地局に隣接する基地局を識別する情報の送信を要求することによって得られる。なお、この要求に対する回答に含まれる基地局の中から、位置探索部４１は、自基地局、即ち、第１の基地局ＢＳ１、及び、自基地局に隣接する基地局を除いて、自基地局に隣接する基地局に隣接する基地局とする。
【０１１１】
また、待ち受け基地局としている旨の回答を送信した基地局への第１の基地局ＢＳ１からの方角は、制御部３１が記憶する、第１の基地局ＢＳ１から、第１の基地局ＢＳ１に隣接する基地局への方角と、第１の基地局ＢＳ１に隣接する基地局の制御部が記憶するその基地局から待ち受け基地局としている旨の回答を送信した基地局への方角とによって得られる。
【０１１２】
続いて、位置探索部４１は、探索装置識別情報４２ｂによって識別される全ての移動通信装置について、待ち受け基地局が設置されたセルが記憶されたか否かを判断する（ステップＳ３０８）。全ての移動通信装置について記憶された場合、第１の移動通信装置ＭＳ１へ回答を送信して、与えられたパラメータによって識別される移動通信装置の待ち受け基地局が設置されたセルを探索する動作を終了する（ステップＳ３０４）。ここで、ステップＳ３０８の動作は、ステップＳ３０３の動作と同一である。
【０１１３】
一方、ステップＳ３０８で、記憶されていない移動通信装置がある場合、位置探索部４１は、その移動通信装置について、待ち受け基地局が不明であるので、探索装置位置４２ｃに「−」、探索装置距離４２ｄに「遠距離」、そして、探索装置方角４２ｅに「−」を設定して、探索装置情報４２ａを更新記憶させて（ステップＳ３０９）、第１の移動通信装置ＭＳ１へ回答を送信して、与えられたパラメータによって識別される移動通信装置の待ち受け基地局が設置されたセルを探索する動作を終了する（ステップＳ３０４）
なお、位置探索部４１は、第ｊの基地局ＢＳｊから送信された、移動通信装置を識別する情報をパラメータとし、その情報によって識別される移動通信装置が第１の基地局ＢＳ１を待ち受け基地局としているか否かの探索要求を移動通信制御局を介して受信した場合、ステップＳ３０２の、上記移動通信装置が第１の基地局ＢＳ１を待ち受け基地局としているか否かを判断して、その判断結果を第ｊの基地局ＢＳｊに送信して、動作を終了する（図示せず）。
【０１１４】
以上の説明で、位置探索部４１は、与えられたパラメータによって識別される移動通信装置の待ち受け基地局が設置されたセルを探索する範囲を、第１の基地局ＢＳ１が設置されたセル、第１の基地局ＢＳ１が設置されたセルに隣接するセル、及び、第１の基地局ＢＳ１が設置されたセルに隣接するセルに隣接するセルに限った。即ち、２周外のセルに範囲内に限ったが、これに限るものではない。
【０１１５】
第１の基地局ＢＳ１が設置されたセルに限っても良いし、第１の基地局ＢＳ１が設置されたセルから任意数に渡って離れたセルの範囲内に限っても良い。また、この任意数は、位置探索部４１によって決定されても良く、位置探索要求部２１によって決定され、位置探索部４１に与えられても良い。更に、この任意数は、入力装置１６の所定のキー操作によって指定され、位置探索要求部２１を介して位置探索部４１に与えられても良い。
【０１１６】
また、探索装置距離４２ｄには、第１の基地局ＢＳ１が設置されたセルから第ｉの移動通信装置ＭＳｉが位置するセルまでの距離を、例えば、キロメートル単位で設定しても良い。距離をキロメートル単位で設定するために、基地局は、その基地局が設置されたセルと、少なくとも、そのセルと隣接するセルとの間の距離をキロメートル単位で記憶し、併せて、そのセルからその隣接するセルへの方角を記憶する。なお、セルとセルとの距離と、角度は、例えば、それぞれのセルに設置された基地局間の距離と、角度とする。
【０１１７】
（第２の実施形態）
図１２は、本発明の第２の実施形態に係る移動通信装置を含む位置探索システムの構成の概要を示す図である。この位置探索システムには、第１の移動通信装置ＭＳ１と、第２の移動通信装置ＭＳ２と、…、第ｍの移動通信装置ＭＳｍとが含まれる。
【０１１８】
ここで、第１の移動通信装置ＭＳ１と、…、第ｍの移動通信装置ＭＳｍとは、全て同じ構成であり同じ動作をする。そこで、説明を簡明にするため、以後、第１の移動通信装置ＭＳ１が第ｉの移動通信装置ＭＳｉの位置を探索する場合を例として、第１の移動通信装置ＭＳ１の構成及び動作を説明する。なお、後述するように、第２の実施形態において、第１の移動通信装置ＭＳ１は、第ｉの移動通信装置ＭＳｉの位置が第１の移動通信装置ＭＳ１から近いか又は遠いかを探索する。
【０１１９】
図１３は、本発明の第２の実施形態に係る第１の移動通信装置ＭＳ１の構成を示すブロック図である。この第２の実施形態に係る第１の移動通信装置ＭＳ１は、本発明の第１の実施形態に係る第１の移動通信装置ＭＳ１と同じ構成要素を含む。そこで、同じ構成要素には同じ符号を付して説明を省略する。
【０１２０】
この第２の実施形態に係る第１の移動通信装置ＭＳ１は、本発明の第１の実施形態に係る第１の移動通信装置ＭＳ１と比較して、更に、近距離無線通信部２４と、第ｉの移動通信装置ＭＳｉとの間で近距離無線通信用の電波の送受信を行うアンテナ２４ａとを備える。また、位置探索要求部２１に代えて、位置探索要求部２１−２を備え、探索装置位置表示部２３に代えて、探索装置位置表示部２３−２を備える。探索装置情報記憶部２２には、探索装置情報２２ａに代えて、探索装置情報２２ｍが記憶される。
【０１２１】
上記のように構成された、本発明の第２の実施形態に係る第１の移動通信装置ＭＳ１の各部の動作を、図１３を参照して説明する。
【０１２２】
位置探索要求部２１−２は、入力装置１６の所定のキー操作に従って指定された、位置を探索する１台又は複数台の第ｉの移動通信装置ＭＳｉを識別する情報を探索装置情報２２ｍとして探索装置情報記憶部２２に記憶させると共に、近距離無線通信部２４に要求して上記第ｉの移動通信装置ＭＳｉの位置の探索、即ち、上記第ｉの移動通信装置ＭＳｉが第１の移動通信装置ＭＳ１の近くにあるか、遠くにあるかの探索をさせる。この探索は、近距離無線通信部２４に上記第ｉの移動通信装置ＭＳｉとの間の通信をさせ、その通信が可能か否かによって行なわせる。
【０１２３】
また、位置探索要求部２１−２は、上記要求に対して、近距離無線通信部２４によって探索された上記第ｉの移動通信装置ＭＳｉが第１の移動通信装置ＭＳ１の近くにあるか、又は、遠くにあるかを、探索装置情報２２ｍとして探索装置情報記憶部２２に記憶させる。
【０１２４】
探索装置位置表示部２３−２は、探索装置情報２２ｍとして探索装置情報記憶部２２に記憶された、１台又は複数台の第ｉの移動通信装置ＭＳｉを識別する情報及び位置を参照し、それらの識別する情報及び位置を表示部１５に表示させる。また、表示された識別する情報の中の１つが入力装置１６の所定の操作に従って選択されると、その選択された情報によって識別される第ｉの移動通信装置ＭＳｉへの発呼を制御部１１又は近距離無線通信部２４に行なわせる。
【０１２５】
近距離無線通信部２４は、探索装置情報記憶部２２に探索装置情報２２ｍとして記憶された第ｉの移動通信装置ＭＳｉの位置を探索する。即ち、上記第ｉの移動通信装置ＭＳｉが第１の移動通信装置ＭＳ１の近くにあるか、遠くにあるかを探索する。この探索は、アンテナ２４ａを用いたブルートゥース（Bluetooth、登録商標）方式の近距離無線通信によって、上記第ｉの移動通信装置ＭＳｉと通信することによって行なう。その通信が可能であれば近い、一方、不可能であれば遠いと判断する。そして、探索された位置を、探索装置情報２２ｍとして探索装置情報記憶部２２に記憶させる。
【０１２６】
以下、第２の実施形態に係る移動通信装置を含む位置探索システムにおいて、第１の移動通信装置ＭＳ１の各部による、予め定められた移動通信装置の位置を容易に探索し、表示する処理を説明する。
【０１２７】
図１４は、探索装置情報記憶部２２に記憶される探索装置情報２２ｍの構成の一例を示す。この探索装置情報２２ｍは、第１の実施形態における探索装置情報２２ａと同じ構成要件を含む。そこで、同じ構成要件には同じ符号を付して説明を省略する。
【０１２８】
探索装置情報２２ｍは、第１の実施形態における探索装置情報２２ａと比較して、探索装置方角２２ｅに代えて、探索装置アドレス２２ｎを備える。探索装置アドレス２２ｎは、近距離無線通信部２４による通信の際に用いられる、第ｉの移動通信装置ＭＳｉを一意に識別する情報である。即ち、探索装置アドレス２２ｎは、ブルートゥースデバイスアドレスと、ブルートゥースクロックとである。なお、近距離無線通信部２４による通信の際に用いられる第ｉの移動通信装置ＭＳｉを一意に識別する情報を、以後、近距離無線通信用識別情報と称する。
【０１２９】
なお、探索装置情報２２ｍに含まれる探索装置距離２２ｄは、探索装置識別情報２２ｂによって識別される第ｉの移動通信装置ＭＳｉと、第１の移動通信装置ＭＳ１とが近い位置にある場合「近い」、遠い位置にある場合「遠い」との値が記憶される。ここで、近い位置であるか、遠い位置であるかは、後述するように、近距離無線通信部２４によって判断される。
【０１３０】
図１５は、第２の実施形態における第１の移動通信装置ＭＳ１の位置探索要求部２１−２が、移動通信装置を定め、探索された、その移動通信装置の位置を記憶させる動作のフローチャートを示す。なお、位置探索要求部２１−２のステップＳ４０１〜ステップＳ４０４の動作は、それぞれ、図７に図示した、第１の実施形態における位置探索要求部２１のステップＳ１０１〜ステップＳ１０４の動作に対応する。また、ステップＳ４０５の動作は、ステップＳ１０５の動作及びステップＳ１０６の動作に対応する。そこで、対応する動作ステップを対比しつつ、同じ動作については簡明な説明に止め、異なる動作について詳しく説明する。
【０１３１】
位置探索要求部２１−２は、入力装置１６の所定のキー操作によって動作を開始する（ステップＳ４０１）。そして、入力装置１６の所定のキー操作によって、近くに位置するか否かを探索する１台又は複数台の移動通信装置を識別する情報を入力する（ステップＳ４０２）。
【０１３２】
ここで、位置探索要求部２１−２は、位置探索要求部２１のステップＳ１０２で入力される、その移動通信装置の電話番号と、所持者の名前とに加えて、その移動通信装置の近距離無線通信用識別情報を入力する。ここで、近距離無線通信用識別情報が必須である。また、電話番号と、所持者の名前との中の少なくとも１つが必須である。
【０１３３】
なお、近距離無線通信用識別情報は、入力装置１６からの入力には適した情報ではない。そこで、位置探索要求部２１−２は、近距離無線通信部２４に要求して、第１の移動通信装置ＭＳ１と、第ｉの移動通信装置ＭＳｉとの間で通信をさせることによって得る。
【０１３４】
この通信は、近距離無線通信用識別情報が得られれば良く、ハンドシェークの段階まで行なわせれば良い。例えば、ブルートゥース（Ｒ）方式の通信をさせる場合、近距離無線通信用識別情報が不明な通信相手とのハンドシェーク手順、即ち、インクワイアリ手順によって第ｉの移動通信装置ＭＳｉの近距離無線通信用識別情報を得る段階までで良く、プロファイルの実行を要しない。
【０１３５】
又は、近距離無線通信用識別情報は、上記のように得られた後、アドレス帳に電話番号と関連付けて記憶されるとし、位置探索要求部２１−２は、入力された電話番号及び／又は所持者の名前を検索キーにアドレス帳を検索することによって得るとしても良い。
【０１３６】
上記のように、第ｉの移動通信装置ＭＳｉの近距離無線通信用識別情報を得る動作は、例えば、待ち合わせに参加する人と待ち合わせの約束をする際に行なわせることが適切である。なぜなら、待ち合わせ参加予定者の把握と同時に、その予定者が所持する移動通信装置の近距離無線通信用識別情報を得ることが同時に行なえるためである。そして、探索装置情報２２ｍは、参加予定者のリストとしても利用が可能である。
【０１３７】
位置探索要求部２１−２は、入力された電話番号を探索装置識別情報２２ｂに、入力された所持者の名前を探索装置所持者２２ｃに、探索装置距離２２ｄに無値を、更に、探索装置アドレス２２ｎに近距離無線通信用識別情報を設定した探索装置情報２２ｍを、探索装置情報記憶部２２に記憶させる（ステップＳ４０３）。なお、移動通信装置の電話番号が入力されない場合、探索装置識別情報２２ｂに無値を設定し、移動通信装置の所持者の名前が入力されない場合、探索装置所持者２２ｃに無値を設定する。
【０１３８】
次に、位置探索要求部２１−２は、探索装置情報２２ｍの探索装置アドレス２２ｎによって識別される移動通信装置の位置の探索要求を、近距離無線通信部２４に送る。この際、探索要求のパラメータは探索装置情報２２ｍを介して与える（ステップＳ４０４）。
【０１３９】
位置探索要求部２１−２は、近距離無線通信部２４から、この要求された探索完了の通知に併せて、探索結果を探索装置情報２２ｍを介して得て（ステップＳ４０５）、移動通信装置を定め、探索された、その移動通信装置の位置を記憶させる動作を終了する（ステップＳ４０６）。
【０１４０】
この探索結果は、パラメータとして与えた探索装置情報２２ｍの探索装置アドレス２２ｎ毎に、その探索装置アドレス２２ｎに関連付けられた探索装置距離２２ｄに設定された値として得る。即ち、その探索装置情報２２ｍの探索装置アドレス２２ｎによって識別される第ｉの移動通信装置ＭＳｉの位置と、自装置、即ち、第１の移動通信装置ＭＳ１との間の距離が近い場合、探索装置距離２２ｄは「近い」であり、その距離が遠い場合、探索装置距離２２ｄは「遠い」である。
【０１４１】
なお、探索装置情報２２ｍが更新記憶される度に、又は、ステップＳ４０４で近距離無線通信部２４に送った位置の探索要求に対する結果が得られる度に、位置探索要求部２１−２は、その更新を制御部１１に通知する。探索装置情報２２ｍを参照している処理部へ、探索装置情報２２ｍの更新を通知し、最新の探索装置情報２２ｍの参照を促すためである。
【０１４２】
なお、以上説明した、位置探索要求部２１−２の動作は、位置を探索する移動通信装置を定める動作と、定められた移動通信装置の位置を探索する動作とに分けられ、この２つの動作に間には時間の隔たりがあっても良いこと、この２つの動作は、それぞれ独立に行なわれても良いこと、また、それぞれ繰り返し行なわれても良いことは、位置探索要求部２１の動作の説明で述べた通りである。
【０１４３】
なお、定められた移動通信装置の位置を探索する動作が繰り返し行なわれる間隔は、第ｉの移動通信装置ＭＳｉが、第１の移動通信装置ＭＳ１との間で近距離無線通信部２４の通信が可能な位置から不可能な位置へ移動する平均時間と、その通信が不可能な位置から可能な位置へ移動する平均時間とをめどに決定することが適切である。
【０１４４】
しかしながら、これらの時間は、わずかな時間である可能性が高い。更に、第ｉの移動通信装置ＭＳｉの移動がない場合、第ｉの移動通信装置ＭＳｉと、第１の移動通信装置ＭＳ１との間に近距離無線通信の障害となる物が移動することによって、第ｉの移動通信装置ＭＳｉと、第１の移動通信装置ＭＳ１との間で近距離無線通信部２４の通信が可能に変化し、また、不可能に変化することがある。
【０１４５】
そこで、定められた移動通信装置の位置を探索する動作が繰り返し行なわれる間隔は、短いことが望まれるが、短い間隔による位置探索は、装置が消費する電力の増加を招く。そこで、位置探索要求部２１−２は、探索装置距離２２ｄに「遠い」なる値が設定されている探索装置情報２２ｍに係る位置探索を短い時間間隔で近距離無線通信部２４に要求し、「近い」なる値が設定されている探索装置情報２２ｍに係る位置探索を長い時間間隔で要求する処理が適切である。遠くにある移動通信装置が近くに移動した、言い換えると、参加予定者が到着したことを長い遅れ時間なしに把握することが有効であるからである。
【０１４６】
また、近距離無線通信部２４によって、探索装置距離２２ｄに「近い」なる値が設定された後、所定時間が経過した探索装置情報２２ｍに係る位置探索を近距離無線通信部２４に要求する処理が適切である。所定時間が経過したことによって、その探索装置情報２２ｍに係る移動通信装置の位置が移動している、言い換えると、会合に出席していた者が退場した可能性があるからである。
【０１４７】
また、近距離無線通信部２４によって、探索装置距離２２ｄに値を設定しようとする履歴が探索装置情報記憶部２２に記憶され、同じ値が所定回数に渡り連続して設定しようとされた場合、位置探索要求部２１−２は、その値を探索装置距離２２ｄに設定する処理が適切である。この処理によって、第１の移動通信装置ＭＳ１との間に近距離無線通信の障害となる物が移動することによって、探索装置距離２２ｄに設定された値が頻繁に変化することを防ぐことができる。
【０１４８】
また、同じ値が連続して探索装置距離２２ｄに設定しようとされた場合、位置探索要求部２１−２は、その値を探索装置距離２２ｄに設定すると共に、その探索装置距離２２ｄを含む探索装置情報２２ｍに係る位置探索を、所定の時間に渡って近距離無線通信部２４に要求しないことが適切である。この処理によって、上記近距離無線通信の障害となる物の移動によらない、適切な探索装置距離２２ｄが得られた後、無用な位置探索の削減、ひいては、装置が消費する電力の削減が可能となる。
【０１４９】
以上説明した、全ての探索装置情報２２ｍに係る位置探索を近距離無線通信部２４に要求することなく、特定の探索装置情報２２ｍのみに係る位置探索を要求する際、位置探索要求部２１−２は、探索装置情報２２ｍに加えて、第２の探索装置情報（図示せず）を探索装置情報記憶部２２に記憶させても良い。そして、第２の探索装置情報には、探索装置情報２２ｍの中で、位置探索を要求するものをコピーして、第２の探索装置情報を近距離無線通信部２４との情報の送受に用いる。また、第２の探索装置情報を介して得られた探索結果を、探索装置情報２２ｍにコピーする。
【０１５０】
第２の実施形態に係る探索装置位置表示部２３−２が予め定められた移動通信装置が近くに位置するか否かを表示する動作は、図８のフローチャートを参照して説明した第１の実施形態に係る探索装置位置表示部２３の同様であるので、異なる動作のみを説明する。
【０１５１】
第１に、ステップＳ２０２で、探索装置位置表示部２３−２は、探索装置情報記憶部２２から探索装置方角２２ｅを読み出すことはできない。そこで、ステップＳ２０３の読み出された情報の表示にあたり、図９に例示したように、「近い」なる標題の下に、探索装置距離２２ｄが「近い」である探索装置情報２２ｍの探索装置所持者２２ｃ及び／又は探索装置識別情報２２ｂを表示し、「遠い」なる標題の下に、探索装置距離２２ｄが「遠い」である探索装置情報２２ｍの探索装置所持者２２ｃ及び／又は探索装置識別情報２２ｂを表示する。
【０１５２】
また、図１０に例示したように、探索装置距離２２ｄが「近い」である探索装置情報２２ｍの探索装置所持者２２ｃ及び／又は探索装置識別情報２２ｂを円内に表示し、探索装置距離２２ｄが「遠い」である探索装置情報２２ｍの探索装置所持者２２ｃ及び／又は探索装置識別情報２２ｂをその円外に表示する。ここで、円内のいずれの位置に表示するか、また、円外のいずれの位置に表示するかは、意味を持たない。
【０１５３】
第２に、ステップＳ２０５の発呼処理で、探索装置位置表示部２３−２は、移動網通信部１２ｂを介した移動通信網を用いた通話通信の他に、近距離無線通信部２４を介したブルートゥース（Ｒ）方式のハンドセットプロファイルによる通話通信を行わせても良い。
【０１５４】
近距離無線通信部２４は、探索装置情報記憶部２２に記憶された探索装置情報２２ｍの探索装置アドレス２２ｎを読み出す。そして、その探索装置アドレス２２ｎに記憶された近距離無線通信用識別情報によって識別される装置と通信が可能であるか否かを判断する。この判断のためには、この通信は、ハンドシェークの段階までで良い。
【０１５５】
例えば、ブルートゥース（Ｒ）方式による場合、近距離無線通信用識別情報が知られた通信相手とのハンドシェーク手順、即ち、ページング手順によって、その近距離無線通信用識別情報によって識別される装置からの応答を受信するか否かの判断が可能な段階までで良い。
【０１５６】
その応答が受信された場合、近距離無線通信部２４は、上記読み出された探索装置アドレス２２ｎと関連付けられた探索装置距離２２ｄに「近い」なる値を設定して、探索装置情報２２ｍを更新記憶させる。一方、その応答が所定時間に渡って受信されない場合、探索装置アドレス２２ｎと関連付けられた探索装置距離２２ｄに「遠い」なる値を設定して、探索装置情報２２ｍを更新記憶させる。
【０１５７】
全ての探索装置情報２２ｍの探索装置アドレス２２ｎについて上記の動作を終了すると、近距離無線通信部２４は、探索動作の完了を通知して、探索動作を終了する。なお、探索装置アドレス２２ｎに関連付けて、探索動作を行うか否かを示す情報が探索装置情報２２ｍに含まれている場合、探索動作を行う旨と関連付けられた探索装置アドレス２２ｎについて上記の動作を終了すると、探索動作の完了を通知して、探索動作を終了する。
【０１５８】
ここで、近距離無線通信部２４は、ページング手順を実行すれば良く、プロファイルの実行を要しない。また、ブルートゥース（Ｒ）方式の電波の送信電力を増加させることによって、より多くの第ｉの移動通信装置ＭＳｉについて、探索装置距離２２ｄに「近い」なる値を設定し、その電波の送信電力を減少させることによって、より多くの第ｉの移動通信装置ＭＳｉについて、探索装置距離２２ｄに「遠い」なる値を設定する結果となる。
【０１５９】
そこで、近距離無線通信部２４は、上記電波の送信電力を、位置探索要求部２１−２の指示によって変更しても良い。また、入力装置１６の所定の操作によって指定され、位置探索要求部２１−２を介して指示を受けることによって変更しても良い。
【０１６０】
以上の説明で、近距離無線通信部２４は、ブルートゥース（Ｒ）方式の通信をするとしたが、これに限るものではない。例えば、赤外線通信を行っても良い。また、ＲＦＩＤ通信を行っても良い。
【０１６１】
（その他の実施形態）
以上説明した第１の実施形態による位置探索と、第２の実施形態による位置探索とは、適宜組み合わせても良い。第１の実施形態による位置探索は、第１の移動通信装置ＭＳ１の周囲数キロメートルの範囲に位置する第ｉの移動通信装置ＭＳｉの位置探索に適している。そこで、待ち合わせに参加している人が待ち合わせ場所の近くにいるか否かを知る用途に適切である。
【０１６２】
一方、第２の実施形態による位置探索は、第１の移動通信装置ＭＳ１の周囲数十メートルの範囲に位置する第ｉの移動通信装置ＭＳｉの位置探索に適している。そこで、会合に参加予定の人が会合に既に出席しているか否かを知る用途に適切である。
【０１６３】
そこで、位置探索の対象である第ｉの移動通信装置ＭＳｉが第１の移動通信装置ＭＳ１のからどの程度離れた場所に位置するかによって、第１の実施形態による位置探索と、第２の実施形態による位置探索とのいずれか一方を選択しても良く、両方を行なっても良い。両方を行なった場合、探索装置位置表示部２３、２３−２は、いずれの位置探索によって得られた位置であるかを識別可能に、移動通信装置が近くに位置するか否かを表示する。
【０１６４】
以上説明したように、本発明によれば、第ｉの移動通信装置ＭＳｉの位置探索を容易に、即ち、少ない装置で、少ない通信量で行なうことができる。以上の説明は、本発明を移動通信装置に適用した形態を例にとって行ったが、これに限るものではない。本発明は、ブルートゥース（Ｒ）方式の通信を行なう全ての装置に適用可能である。本発明は以上の構成に限定されるものではなく、種々の変形が可能である。
【図面の簡単な説明】
【０１６５】
【図１】本発明の第１の実施形態に係る移動通信装置を含む位置探索システムの構成の概要を示す図。
【図２】本発明の第１の実施形態に係る第１の移動通信装置の構成を示すブロック図。
【図３】本発明の第１の実施形態に係る第１の基地局の構成を示すブロック図。
【図４】本発明の第１の実施形態に係る第１の移動通信装置に記憶される探索装置情報の構成の一例を示す図。
【図５】本発明の第１の実施形態に係る在圏移動通信装置情報の構成の一例を示す図。
【図６】本発明の第１の実施形態に係る第１の基地局に記憶される探索装置情報の構成の一例を示す図。
【図７】本発明の第１の実施形態に係る位置探索要求部が移動通信装置の位置を記憶させる動作のフローチャート。
【図８】本発明の第１の実施形態に係る探索装置位置表示部が移動通信装置の位置を表示する動作のフローチャート。
【図９】本発明の第１の実施形態に係る探索装置位置表示部によって表示部に行われる表示の第１の例。
【図１０】本発明の第１の実施形態に係る探索装置位置表示部によって表示部に行われる表示の第２の例。
【図１１】本発明の第１の実施形態に係る位置探索部が移動通信装置の待ち受け基地局が設置されたセルを探索する動作のフローチャート。
【図１２】本発明の第２の実施形態に係る移動通信装置を含む位置探索システムの構成の概要を示す図。
【図１３】本発明の第２の実施形態に係る第１の移動通信装置の構成を示すブロック図。
【図１４】本発明の第２の実施形態に係る第１の移動通信装置に記憶される探索装置情報の構成の一例を示す図。
【図１５】本発明の第２の実施形態に係る位置探索要求部が移動通信装置の位置を記憶させる動作のフローチャート。
【符号の説明】
【０１６６】
ＭＳ１  第１の移動通信装置
ＭＳｉ  第ｉの移動通信装置
ＢＳ１  第１の基地局
ＢＳｊ  第ｊの基地局
１１、３１  制御部
１２ｂ、３２ｂ  移動網通信部
１３、３３  移動網送受信部
１５  表示部
１５ａ  探索装置情報表示
１６  入力装置
２１、２１−２  位置探索要求部
２２、４２  探索装置情報記憶部
２２ａ、２２ｍ、４２ａ  探索装置情報
２２ｂ、４２ｂ  探索装置識別情報
２２ｃ  探索装置所持者
２２ｄ、４２ｄ  探索装置距離
２２ｅ、４２ｅ  探索装置方角
２２ｎ  探索装置アドレス
２３、２３−２  探索装置位置表示部
２４  近距離無線通信部
３５  在圏移動通信装置情報記憶部
３５ａ  在圏移動通信装置情報
３５ｂ  在圏移動通信装置識別情報
４１  位置探索部
４２ｃ  探索装置位置
【図１】
2010021664.tif 000003
【図２】
2010021664.tif 000004
【図３】
2010021664.tif 000005
【図４】
2010021664.tif 000006
【図５】
2010021664.tif 000007
【図６】
2010021664.tif 000008
【図７】
2010021664.tif 000009
【図８】
2010021664.tif 000010
【図９】
2010021664.tif 000011
【図１０】
2010021664.tif 000012
【図１１】
2010021664.tif 000013
【図１２】
2010021664.tif 000014
【図１３】
2010021664.tif 000015
【図１４】
2010021664.tif 000016
【図１５】
2010021664.tif 000017